(57)【特許請求の範囲】
【請求項１】
第１信号方式の複数の入出力系統の伝送経路を切り替える第１のマトリクススイッチ部と、
前記第１信号方式とは異なる第２信号方式の複数の入出力系統の伝送経路を切り替える第２のマトリクススイッチ部と、
前記第１のマトリクススイッチ部の少なくとも一部の出力端子と前記第２のマトリクススイッチ部の少なくとも一部の入力端子との間に接続され、前記第１のマトリクススイッチ部の出力信号を第２信号方式の信号に変換して前記第２のマトリクススイッチ部の入力端子に供給する第１信号方式／第２信号方式変換部と、
前記第１のマトリクススイッチ部の少なくとも一部の入力端子と前記第２のマトリクススイッチ部の少なくとも一部の出力端子との間に接続され、前記第２のマトリクススイッチ部の出力信号を第１信号方式の信号に変換して前記第１のマトリクススイッチ部の入力端子に供給する第２信号方式／第１信号方式変換部と、
外部操作に基づいて、前記第１のマトリクススイッチ部及び前記第２のマトリクススイッチ部の切替処理を統括的に制御する切替制御部とを具備することを特徴とする信号方式切替装置。
【請求項２】
さらに、複数の入出力系統の符号化信号の伝送経路を切り替える第３のマトリクススイッチ部と、この第３のマトリクススイッチ部の出力端子と前記第１及び第２のマトリクススイッチ部のうちいずれか一方の第１信号方式／第２信号方式変換部または第２信号方式／第１信号方式変換部が接続されない入力端子との間に接続され、前記第３のマトリクススイッチ部の出力信号を復号して前記第１及び第２のマトリクススイッチ部のうちいずれか一方の入力端子に供給する復号部とを備え、前記切替制御部は、外部操作に基づいて前記第３のマトリクススイッチ部の切替処理を制御することを特徴とする請求項１記載の信号方式切替装置。
【請求項３】
第１信号方式の複数の入出力系統の伝送経路を切り替える第１のマトリクススイッチ部と、
前記第１信号方式とは異なる第２信号方式の複数の入出力系統の伝送経路を切り替える第２のマトリクススイッチ部と、
複数の入出力系統の符号化信号の伝送経路を切り替える第３のマトリクススイッチ部と、
この第３のマトリクススイッチ部の出力端子と前記第１及び第２のマトリクススイッチ部のうちいずれか一方の少なくとも一部の入力端子との間に接続され、前記第３のマトリクススイッチ部の出力信号を復号して前記第１及び第２のマトリクススイッチ部のうちいずれか一方の入力端子に供給する復号部と、
外部操作に基づいて、前記第１のマトリクススイッチ部、前記第２のマトリクススイッチ部及び前記第３のマトリクススイッチ部の切替処理を統括的に制御する切替制御部とを具備することを特徴とする信号方式切替装置。
【請求項４】
前記第１、第２及び第３のマトリクススイッチ部及び前記切替制御部は、一体的に統合されることを特徴とする請求項１乃至３のいずれかに記載の信号方式切替装置。
【請求項５】
第１信号方式の複数の入出力系統の伝送経路を切り替える第１のマトリクススイッチ部と、
前記第１信号方式とは異なる第２信号方式の複数の入出力系統の伝送経路を切り替える第２のマトリクススイッチ部と、
前記第１のマトリクススイッチ部の少なくとも一部の出力端子と前記第２のマトリクススイッチ部の少なくとも一部の入力端子との間に接続され、前記第１のマトリクススイッチ部の出力信号を第２信号方式の信号に変換して前記第２のマトリクススイッチ部の入力端子に供給する第１信号方式／第２信号方式変換部と、
前記第１のマトリクススイッチ部の少なくとも一部の入力端子と前記第２のマトリクススイッチ部の少なくとも一部の出力端子との間に接続され、前記第２のマトリクススイッチ部の出力信号を第１信号方式の信号に変換して前記第１のマトリクススイッチ部の入力端子に供給する第２信号方式／第１信号方式変換部と、
前記第１及び第２のマトリクススイッチ部に入力される複数の入力系統の伝送経路の信号の信号方式を判定する信号方式判定部と、
この信号方式判定部による判定結果及び所定の要求情報に基づいて、前記第１のマトリクススイッチ部及び前記第２のマトリクススイッチ部の切替処理を統括的に制御する切替制御部とを具備することを特徴とする信号方式切替装置。
【請求項６】
さらに、複数の入出力系統の符号化信号の伝送経路を切り替える第３のマトリクススイッチ部と、この第３のマトリクススイッチ部の出力端子と前記第１及び第２のマトリクススイッチ部のうちいずれか一方の第１信号方式／第２信号方式変換部または第２信号方式／第１信号方式変換部が接続されない入力端子との間に接続され、前記第３のマトリクススイッチ部の出力信号を復号して前記第１及び第２のマトリクススイッチ部のうちいずれか一方の入力端子に供給する復号部とを備え、前記信号方式判定部は、前記第３のマトリクススイッチ部への入力信号の信号方式を判定し、前記切替制御部は、前記信号方式の判定結果及び所定の要求情報に基づいて、第３のマトリクススイッチ部の切替処理を制御することを特徴とする請求項５記載の信号方式切替装置。
【請求項７】
前記第１、第２及び第３のマトリクススイッチ部、前記信号方式判定部及び前記切替制御部は、一体的に統合されることを特徴とする請求項５または６記載の信号方式切替装置。
【発明の詳細な説明】
【０００１】
【発明の属する技術分野】
この発明は、互いに信号方式が異なる複数の信号の入出力経路を選択的に切り替える信号方式切替装置に関する。
【０００２】
【従来の技術】
従来より、アナログ放送における放送局にあっては、各編集室でビデオ信号の品質確認を行なっている。なお、各編集室で取り扱われるビデオ信号は、ＮＴＳＣ方式、またはＮＴＳＣ方式を単純にデジタル化したＤ２方式（デジタルコンポジット方式）に限られている。
【０００３】
一方、近年では、デジタル放送の実用化が進められており、この実用化に伴い、例えば放送局にあっては、スタンダードなＮＴＳＣ信号だけでなく、局内で多種の信号方式のビデオ信号を取り扱うようになってきている。その信号方式の異なるビデオ信号としては、例えばＤ１（デジタルコンポーネント）信号、ＨＤＴＶ（High Definition TV）信号、圧縮信号（トランスポートストリームなど）がある。
【０００４】
この場合、複数の信号方式が混在する複数の伝送路を１ヶ所に集中し、選択的に交換接続する切替装置が使用される。この切替装置は、種々の信号方式に対応するスイッチ部を備え、入力される各信号方式のビデオ信号を対応するスイッチ部でスイッチング（信号切替）を行なって対応する出力伝送路に出力するようにしている。
【０００５】
ところで、上記のような従来の切替装置では、それぞれの信号方式に対応したモニタリング（監視）を行なう必要があり、取り扱う信号方式の数だけモニタを用意しなければならず、それと同時に、監視者は、どのモニタを見るのか常に判断しなければならなくなる。今後、新たな信号方式を取り扱えるようになると、さらにモニタの台数が増えることになり、それに伴い監視を行なうべきモニタ画面の数も増えることになる。
【０００６】
したがって、モニタの台数を増やす分経済的負担が増大し、モニタ画像に基づいて監視を行なう監視者の手間や労力が増えてしまうことになる。
【０００７】
【発明が解決しようとする課題】
以上述べたように従来の切替装置では、モニタリングを行なうために、取り扱う信号方式の数だけモニタを用意する必要があり、経済的負担が増大するとともに、モニタ画像に基づいて監視を行なう監視者の手間や労力が増大するという問題を有している。
【０００８】
そこで、この発明の第１の目的は、取り扱う信号方式の数によらず、各信号方式に対する監視を低コストで行なうことを可能とし、しかも監視者に対する手間や労力の軽減を図るようにした信号方式切替装置を提供することにある。
【０００９】
また、この発明の第２の目的は、監視者側で取り扱う信号方式を考慮しなくても自動的に信号切替を行なうことが可能な信号方式切替装置を提供することにある。
【００１０】
【課題を解決するための手段】
この発明に係る信号方式切替装置は、上記第１の目的を達成するために、第１信号方式の複数の入出力系統の伝送経路を切り替える第１のマトリクススイッチ部と、第１信号方式とは異なる第２信号方式の複数の入出力系統の伝送経路を切り替える第２のマトリクススイッチ部と、第１のマトリクススイッチ部の少なくとも一部の出力端子と第２のマトリクススイッチ部の少なくとも一部の入力端子との間に接続され、第１のマトリクススイッチ部の出力信号を第２信号方式の信号に変換して第２のマトリクススイッチ部の入力端子に供給する第１信号方式／第２信号方式変換部と、第１のマトリクススイッチ部の少なくとも一部の入力端子と第２のマトリクススイッチ部の少なくとも一部の出力端子との間に接続され、第２のマトリクススイッチ部の出力信号を第１信号方式の信号に変換して第１のマトリクススイッチ部の入力端子に供給する第２信号方式／第１信号方式変換部と、外部操作に基づいて、第１のマトリクススイッチ部及び第２のマトリクススイッチ部の切替処理を統括的に制御する切替制御部とを備えるようにしたものである。
【００１１】
この構成によれば、第１のマトリクススイッチ部の一部の出力端子と第２のマトリクススイッチ部の一部の入力端子との間に第１信号方式／第２信号方式変換部を接続し、第２のマトリクススイッチ部の一部の出力端子と第１のマトリクススイッチ部の一部の入力端子との間に第２信号方式／第１信号方式変換部を接続する構成であるので、監視者は、監視を行なうべき信号方式の信号をモニタに表示できるように切替制御部を操作するだけで、切替制御部により第１信号方式／第２信号方式変換部を経由する経路もしくは第２信号方式／第１信号方式変換部を経由する経路に切り替えられることになる。
【００１２】
このため、監視者は１台のモニタで複数種の信号方式の信号の監視を行なうことができ、その分監視者の手間や労力が大幅に軽減されるとともに、モニタ台数の削減にも寄与することができるので従来のシステムに比較して費用対効果が大幅に改善される。
【００１３】
また、上記構成では、さらに、複数の入出力系統の符号化信号の伝送経路を切り替える第３のマトリクススイッチ部と、この第３のマトリクススイッチ部の出力端子と第１及び第２のマトリクススイッチ部のうちいずれか一方の第１信号方式／第２信号方式変換部または第２信号方式／第１信号方式変換部が接続されない入力端子との間に接続され、第３のマトリクススイッチ部の出力信号を復号して第１及び第２のマトリクススイッチ部のうちいずれか一方の入力端子に供給する復号部とを備え、切替制御部は、外部操作に基づいて第３のマトリクススイッチ部の切替処理を制御することを特徴とする。このようにすることで、例えば圧縮符号化が施されたトランスポートストリームの監視を行なう場合に、トランスポートストリームに対応するマトリクススイッチ部及び復号部を用意するだけでよく、第１もしくは第２のマトリクススイッチ部の入力端子に空きがあれば、第３のマトリクススイッチ部の出力端子と第１もしくは第２のマトリクススイッチ部の空き入力端子との間に復号部を接続して、切替制御部により復号部を経由する経路に切り替えるようにすることで、監視者は新たなモニタを用意する必要がなく、既存のモニタでトランスポートストリームの監視を行なうことができ、この点でも費用対効果の改善を図れる。
【００１４】
また、上記構成では、第１、第２及び第３のマトリクススイッチ部及び切替制御部は、一体的に統合されることを特徴とする。このようにすることで、装置の小型化を図ることができる。
【００１５】
また、この発明に係る信号方式切替装置は、上記第２の目的を達成するために、第１信号方式の複数の入出力系統の伝送経路を切り替える第１のマトリクススイッチ部と、第１信号方式とは異なる第２信号方式の複数の入出力系統の伝送経路を切り替える第２のマトリクススイッチ部と、第１のマトリクススイッチ部の少なくとも一部の出力端子と第２のマトリクススイッチ部の少なくとも一部の入力端子との間に接続され、第１のマトリクススイッチ部の出力信号を第２信号方式の信号に変換して第２のマトリクススイッチ部の入力端子に供給する第１信号方式／第２信号方式変換部と、第１のマトリクススイッチ部の少なくとも一部の入力端子と第２のマトリクススイッチ部の少なくとも一部の出力端子との間に接続され、第２のマトリクススイッチ部の出力信号を第１信号方式の信号に変換して第１のマトリクススイッチ部の入力端子に供給する第２信号方式／第１信号方式変換部と、第１及び第２のマトリクススイッチ部に入力される複数の入力系統の伝送経路の信号の信号方式を判定する信号方式判定部と、この信号方式判定部による判定結果及び所定の要求情報に基づいて、第１のマトリクススイッチ部及び第２のマトリクススイッチ部の切替処理を統括的に制御する切替制御部とを備えるようにしたものである。
【００１６】
この構成によれば、第１及び第２のマトリクススイッチ部に入力される信号が信号方式判定部によりその信号方式が判定され、切替制御部は、監視要求及び信号判定部による判定結果に基づいて、第１のマトリクススイッチ部及び第２のマトリクススイッチ部の切替処理を実行する構成であるので、監視者は、監視要求等を切替制御部に通知するだけで、切替制御部によりモニタの機種に応じて第１信号方式／第２信号方式変換部を経由する経路もしくは第２信号方式／第１信号方式変換部を経由する経路に切り替えられることになる。
【００１７】
このため、監視者側で取り扱う信号方式を考慮する必要はなく、監視要求通知等の簡単な操作により１台のモニタで複数種の信号方式の信号の監視を行なうことができる。
【００１８】
【発明の実施の形態】
以下、この発明の実施形態について図面を参照して詳細に説明する。
【００１９】
(第１の実施形態)
図１は、この発明に係る信号方式切替装置の構成を示すブロック図であり、切替装置本体１１を中核としている。この切替装置本体１１は、Ｄ１信号方式の入出力系統の伝送経路を切り替えるマトリクススイッチ部１１１と、ＨＤ信号方式の入出力系統の伝送経路を切り替えるマトリクススイッチ部１１２と、トランスポートストリームの入出力系統の伝送経路を切り替えるマトリクススイッチ部１１３と、外部操作に基づいて、マトリクススイッチ部１１１、１１２、１１３の切替処理を統括的に制御するコントローラ１１４とを備えている。
【００２０】
この実施形態では、マトリクススイッチ部１１１、１１２、１１３それぞれの入力系統に入力端子２１、２２、２３を接続し、マトリクススイッチ部１１１、１１２それぞれの出力系統に出力端子３１、３２を接続している。また、マトリクススイッチ部１１１の出力端子３１が接続されない出力系統とマトリクススイッチ部１１２の入力端子２２が接続されない入力系統との間には、マトリクススイッチ部１１１の出力信号をＨＤ信号に変換するアップコンバータ（Ｕ／Ｃ）４１が接続され、マトリクススイッチ部１１２の出力端子３２が接続されない出力系統とマトリクススイッチ部１１１の入力端子２１が接続されない入力系統との間には、マトリクススイッチ部１１２の出力信号をＤ１信号に変換するダウンコンバータ（Ｄ／Ｃ）４２が接続される。さらに、マトリクススイッチ部１１３の出力系統とマトリクススイッチ部１１１の入力端子２１及びダウンコンバータ４２が接続されない入力系統との間には、マトリクススイッチ部１１３の出力信号を復号するデコーダ（ＤＥＣ）４３が接続される。
【００２１】
上記構成において、以下に放送局における局内伝送システムに適用した場合を例にして、その動作を説明する。
【００２２】
ここで、切替装置本体１１、アップコンバータ４１、ダウンコンバータ４２及びデコーダ４３は例えばネットワーク管理室に設置され、そこからＳＤＴＶ（Standard Definition TV）スタジオ、ＨＤＴＶスタジオ、ＭＰＥＧ編集室等へ伝送路が敷設され、その端末にそれぞれの部屋で必要な接続機器が接続される入力端子２１、２２、２３及び出力端子３１、３２が取り付けられる。
【００２３】
例えば、ＳＤＴＶスタジオでは、ＳＤＴＶカメラ等を入力端子２１に接続し、モニタや通信機器等を出力端子３１に接続する。このＳＤＴＶカメラ出力（Ｄ１）は、入力端子２１を介して切替装置本体１１のマトリクススイッチ部１１１に入力され、マトリクススイッチ部１１１により切替導出され、出力端子３１に接続されたモニタに供給される。それ故に、ＳＤＴＶスタジオの監視者は、モニタを見てＳＤＴＶカメラ出力の品質確認を行なうことができる。また、ＨＤＴＶスタジオでも同様に、ＨＤＴＶカメラ等を入力端子２２に接続し、モニタや通信機器等を出力端子３２に接続することで、ＨＤＴＶスタジオの監視者は、モニタを見てＨＤＴＶカメラ出力の品質確認を行なうことができる。
【００２４】
ところで、従来では、ＳＤＴＶスタジオでＨＤＴＶ信号の品質確認を行ないたい場合に、マトリクススイッチ部１１２の出力系統の伝送路を敷設し、この伝送路の端末にＨＤＴＶ用のモニタを取り付ける必要があった。そこで、本実施形態では、マトリクススイッチ部１１２の空き出力端子とマトリクススイッチ部１１１の空き入力端子との間に、ＨＤＴＶ信号をＳＤＴＶ信号に変換するダウンコンバータ４２を設け、コントローラ１１４によりマトリクススイッチ部１１１、１１２をダウンコンバータ４２を経由する経路に切り替えるだけでよく、ＳＤＴＶスタジオ側で新たな伝送路を敷設したりＨＤＴＶ用のモニタを用意する必要がなく、１台のモニタでＨＤＴＶ信号の品質確認を行なえるようにしている。
【００２５】
また、ＳＤＴＶスタジオでトランスポートストリームを取り扱う場合にも、マトリクススイッチ部１１３の空き出力端子とマトリクススイッチ部１１１の空き入力端子との間に、トランスポートストリームをＳＤＴＶ信号に復号するデコーダ４３を設け、コントローラ１１４によりマトリクススイッチ部１１１、１１３をデコーダ４３を経由する経路に切り替えるだけでよく、ＳＤＴＶスタジオ側で新たな伝送路を敷設したりＴＳ用のモニタを用意する必要がなく、１台のモニタでトランスポートストリームの品質確認を行なえるようにしている。
【００２６】
なお、ＨＤＴＶスタジオでＳＤＴＶ信号の品質確認を行ないたい場合にも、マトリクススイッチ部１１１の空き出力端子とマトリクススイッチ部１１２の空き入力端子との間に、ＳＤＴＶ信号をＨＤＴＶ信号に変換するアップコンバータ４１を設け、コントローラ１１４によりマトリクススイッチ部１１１、１１２をアップコンバータ４１を経由する経路に切り替えるだけでよく、ＨＤＴＶスタジオ側で新たな伝送路を敷設したりＳＤＴＶ用のモニタを用意する必要がなく、１台のモニタでＳＤＴＶ信号の品質確認を行なえるようにしている。
【００２７】
以上述べたように上記実施形態では、マトリクススイッチ部１１１の一部の出力端子とマトリクススイッチ部１１２の一部の入力端子との間にアップコンバータ４１を接続し、マトリクススイッチ部１１２の一部の出力端子とマトリクススイッチ部１１１の一部の入力端子との間にダウンコンバータ４２を接続する構成であるので、監視者は、監視を行なうべき信号方式の信号をモニタに表示できるようにコントローラ１１４を操作、もしくは切替装置本体１１の近くにいるオペレータに通知するだけで、コントローラ１１４によりマトリクススイッチ部１１１、１１２をアップコンバータ４１を経由する経路もしくはダウンコンバータ４２を経由する経路に切り替えられることになる。
【００２８】
このため、監視者は１台のモニタでＳＤＴＶ信号、ＨＤＴＶ信号といった複数種の信号方式の信号の監視を行なうことができ、その分監視者の手間や労力が大幅に軽減されるとともに、モニタ台数の削減も図ることができるので、監視の費用対効果が大きく向上するようになる。
【００２９】
また、上記実施形態では、例えばＳＤＴＶスタジオで圧縮符号化が施されたトランスポートストリームの監視を行なう場合に、トランスポートストリームに対応するマトリクススイッチ部１１３及びデコーダ４３を用意するだけでよく、マトリクススイッチ部１１１の入力端子に空きがあれば、マトリクススイッチ部１１３の出力端子とマトリクススイッチ部１１１の空き入力端子との間にデコーダ４３を接続して、コントローラ１１４によりマトリクススイッチ部１１１、１１３をデコーダ４３を経由する経路に切り替えるようにすることで、監視者は新たなモニタを用意する必要がなく、既存のモニタでトランスポートストリームの監視を行なうことができ、この点でも費用対効果の改善を図れる。
【００３０】
なお、トランスポートストリームがＨＤＴＶ信号を圧縮符号化したストリームである場合には、デコーダ４３の出力をマトリクススイッチ部１１２に入力するように構成してもよい。
【００３１】
さらに、将来、新たな信号方式が出現したとしても、それに対応するマトリクススイッチ部及び信号変換器を用意するだけでよく、専用のモニタを追加する必要がなく、１台の既存のモニタでその信号方式の監視を行なうことができ、この点でも監視者に対する手間や労力の軽減を図ることができる。
【００３２】
（第２の実施形態）
図２は、この発明に係る信号方式切替装置の第２の実施形態の構成を示すブロック図である。但し、図２において図１と同一部分には同一符号を付して示し、ここでは異なる部分について説明する。
【００３３】
図２に示す装置が図１に示す装置と異なる点は、マトリクススイッチ部１１１、１１２、１１３及びコントローラ１１４を物理的に統合していることにある。従って、この構成によれば、切替装置本体１１自体の小型化を図ることができる。
【００３４】
（第３の実施形態）
図３は、この発明に係る信号方式切替装置の第３の実施形態の構成を示すブロック図である。但し、図３において図２と同一部分には同一符号を付して示し、ここでは異なる部分について説明する。
【００３５】
図３において、モニタによっては、複数の方式をモニタリングできるものがある。この場合には、モニタを出力端子３３に接続することで、アップコンバータやダウンコンバータを使用せずに、マトリクススイッチ部１１１、１１２を直接切り替えることでモニタリングが行なえるようになる。
【００３６】
（第４の実施形態）
図４は、この発明に係る信号方式切替装置の第４の実施形態の構成を示すブロック図である。但し、図４において図２と同一部分には同一符号を付して示し、ここでは異なる部分について説明する。
【００３７】
図４に示す装置が図２に示す装置と異なる点は、切替装置本体１１に、マトリクススイッチ部１１１、１１２、１１３それぞれの入力信号の信号方式を判定する判定部１１５を設けていることにある。
【００３８】
この構成において、判定部１１５による判定結果は、コントローラ１１４に通知されることになる。ここで、例えば出力端子３１に接続されたモニタを備えるＳＤＴＶスタジオから電話回線等を通じてコントローラ１１４にＨＤＴＶ監視要求が出されると、コントローラ１１４は、監視要求が出されたスタジオに対応するモニタの種類及び判定部１１５による判定結果に基づいて、マトリクススイッチ部１１１、１１２をダウンコンバータ４２を経由する経路に切り替える。また、ＳＤＴＶスタジオから電話回線等を通じてコントローラ１１４にＴＳ監視要求が出されると、コントローラ１１４は、同様にモニタの種類及び判定部１１５による判定結果に基づいて、マトリクススイッチ部１１１、１１３をデコーダ４３を経由する経路に切り替える。
【００３９】
なお、出力端子３２に接続されたモニタを備えるＨＴＤＶスタジオから電話回線等を通じてコントローラ１１４にＳＤＴＶ監視要求が出された場合にも、コントローラ１１４は、監視要求が出されたスタジオに対応するモニタの種類及び判定部１１５による判定結果に基づいて、マトリクススイッチ部１１１、１１２をアップコンバータ４１を経由する経路に切り替える。
【００４０】
このように上記第４の実施形態であれば、マトリクススイッチ部１１１、１１２、１１３に入力される信号が判定部１１５によりその信号方式が判定され、コントローラ１１４は、判定部１１５による判定結果及び外部からの監視要求通知結果に基づいて、マトリクススイッチ１１１、１１２、１１３の切替処理を実行する構成であるので、監視者は、監視要求等を電話回線等を用いてコントローラ１１４に通知するだけで、コントローラ１１４によりモニタの機種に応じてアップコンバータ４１、ダウンコンバータ４２、デコーダ４３のいずれか１つを経由する経路に切り替えられることになる。
【００４１】
このため、監視者側で取り扱う信号方式を考慮する必要はなく、監視要求通知等の簡単な操作により１台のモニタで複数種の信号方式の信号の監視を行なうことができる。
【００４２】
（その他の実施形態）
この発明は上記各実施形態に限定されるものではない。例えば、１つのスタジオに切替装置本体を設置し、１つのスタジオで各種の信号方式を取り扱うシステムにもこの発明を適用することが可能である。この場合、監視者は、品質確認を行ないたい信号方式に応じてコントローラを操作することにより１台のモニタで複数種の信号方式の品質確認を行なうことができる。また、リモコンにより操作できるようにすれば、監視者は、離れた所にいてもモニタに表示できるように各種マトリクススイッチ部の切替制御を行なうことができる。
【００４３】
その他、切替装置本体の構成、取り扱う信号方式の種類、アップコンバータ、ダウンコンバータといった信号変換器の種類等についても、この発明の要旨を逸脱しない範囲で種々変形して実施できる。
【００４４】
【発明の効果】
以上詳述したようにこの発明によれば、取り扱う信号方式の数によらず、各信号方式に対する監視を低コストで行なうことを可能とし、しかも監視者に対する手間や労力の軽減を図るようにした信号方式切替装置を提供することができる。
【００４５】
また、この発明によれば、監視者側で取り扱う信号方式を考慮しなくても自動的に信号切替を行なうことが可能な信号方式切替装置を提供することができる。
【図面の簡単な説明】
【図１】この発明に係わる信号方式切替装置の第１の実施形態を示すブロック図。
【図２】この発明に係わる信号方式切替装置の第２の実施形態を示すブロック図。
【図３】この発明に係わる信号方式切替装置の第３の実施形態を示すブロック図。
【図４】この発明に係わる信号方式切替装置の第４の実施形態を示すブロック図。
【符号の説明】
１１…切替装置本体、
２１〜２３…入力端子、
３１、３２…出力端子、
４１…アップコンバータ（Ｕ／Ｃ）、
４２…ダウンコンバータ（Ｄ／Ｃ）、
４３…デコーダ（ＤＥＣ）、
１１１〜１１３…マトリクススイッチ部、
１１４…コントローラ、
１１５…判定部。
【図１】
0004138217.tif 000002
【図２】
0004138217.tif 000003
【図３】
0004138217.tif 000004
【図４】
0004138217.tif 000005